(57)【要約】【課題】  カウンタープレッシャー工法を使用した発泡樹脂成形体の成形方法及び成形装置であって、発泡樹脂材料の射出充填時、射出速度を安定化させることで、成形不良を回避する。【解決手段】  成形金型５０とそれに連結されるガス供給・排出機構６０とから構成される成形装置４０であって、製品キャビティＣに臨むように型内に設けた複数の圧力センサ５７の検知結果をガス供給・排出機構６０にフィードバック制御することにより、発泡樹脂材料Ｍの射出充填時、射出圧の過度の上昇を抑えるとともに、射出速度を一定化させ、かつコアバック時におけるガスの排出を迅速に行なうことで、ガス溜まり、あるいは発泡不良を抑え、外観不良をなくす。【選択図】  図３
2005153446.tif 000002
【特許請求の範囲】
【請求項１】
成形金型（５０）の製品キャビティ（Ｃ）内に発泡樹脂材料（Ｍ）を射出充填した後、上記発泡樹脂材料（Ｍ）を発泡させて所要形状に成形してなる発泡樹脂成形体（３０）の成形方法において、
可動側金型（５１）と固定側金型（５２）との間に画成される製品キャビティ（Ｃ）内に発泡樹脂材料（Ｍ）を充填する際、製品キャビティ（Ｃ）内に臨むように可動側金型（５１）、あるいは固定側金型（５２）の少なくとも一方側の金型（５１，５２）に複数の圧力センサ（５７）を設け、この圧力センサ（５７）の信号をガス供給・排出機構（６０）にフィードバック処理し、発泡樹脂材料（Ｍ）充填時における型内圧力を制御することにより、発泡樹脂材料（Ｍ）の射出速度を安定化したことを特徴とする発泡樹脂成形体の成形方法。
【請求項２】
前記圧力センサ（５７）の信号により、ガス供給・排出機構（６０）が成形金型（５０）の製品キャビティ（Ｃ）内にガスを供給、あるいは排出するとともに、上記ガス供給・排出機構（６０）におけるガス排出系として真空吸引力を使用することにより、型内のガスを迅速に吸引することで、型内圧力を急速に常圧に維持することを特徴とする請求項１に記載の発泡樹脂成形体の成形方法。
【請求項３】
成形金型（５０）の製品キャビティ（Ｃ）内に発泡樹脂材料（Ｍ）を射出充填した後、上記発泡樹脂材料（Ｍ）を発泡させて所要形状に成形してなる発泡樹脂成形体（３０）の成形装置（４０）において、
この成形装置（４０）は、可動側金型（５１）と固定側金型（５２）及び両金型（５１，５２）間に画成される製品キャビティ（Ｃ）内に発泡樹脂材料（Ｍ）を供給する射出機（５３）とを備えた成形金型（５０）と、この成形金型（５０）に付設されるガス供給・排出機構（６０）とから構成され、前記成形金型（５０）には、製品キャビティ（Ｃ）と外部のガス供給・排出機構（６０）とを接続するガス通路（５６）が穿設され、かつ製品キャビティ（Ｃ）内に臨む複数の圧力センサ（５７）が設置されているとともに、ガス供給・排出機構（６０）は、ガス供給系（６１）と、ガス排出系（６５）とにそれぞれ分岐接合され、この分岐点に３方位開閉弁（６４）が設けられていることを特徴とする発泡樹脂成形体の成形装置。
【請求項４】
成形金型（５０）の製品キャビティ（Ｃ）内に発泡樹脂材料（Ｍ）を射出充填した後、上記発泡樹脂材料（Ｍ）を発泡させて所要形状に成形してなる発泡樹脂成形体（３０）の成形装置（４０）において、
前記ガス供給・排出機構（６０）は、成形金型（５０）に貫通するガス通路（５６）の一方端（５６ａ）にガス供給系（６１）が接続され、かつガス通路（５６）の他方端（５６ｂ）にガス排出系（６５）が接続され、この貫通するガス通路（５６）から分岐する分岐ガス通路（５６ｃ，５６ｄ）が製品キャビティ（Ｃ）に臨むように設けられ、分岐点に開閉弁（５８）が設けられていることを特徴とする発泡樹脂成形体の成形装置。
【発明の詳細な説明】
【技術分野】
【０００１】
本発明は、ガス注入式射出成形工法を使用する発泡樹脂成形体の成形方法及び成形装置に係り、特に、製品キャビティ内に供給されるガスの圧力を一定に保つことにより、発泡樹脂成形体の外観不良を防止できる発泡樹脂成形体の成形方法及び成形装置に関する。
【背景技術】
【０００２】
図８はドアパネル（図示せず）の室内側に装着される自動車用ドアトリム１を示すもので、このドアトリム１は、軽量で、耐衝撃性能に優れ、かつコストも廉価なことから、ポリプロピレン（ＰＰ）樹脂内部に発泡剤を混入した発泡樹脂材料を所要形状に成形してなる樹脂成形体が多く使用されている。また、ドアトリム１には、室内側に向けて膨出するアームレスト部１ａが一体成形され、このアームレスト部１ａの下方には、ドアポケット用開口１ｂが開設されているとともに、そのフロント側にスピーカグリル１ｃが一体、あるいは別体に設けられている。
【０００３】
この種発泡樹脂成形体を使用したドアトリム１を所要形状に成形する従来の成形方法について、図９に示す工程説明図、図１０に示す金型のタイムチャート図を基に説明する。すなわち、成形金型２は、キャビティ型３とコア型４とから大略構成され、キャビティ型３がコア型４に対して近接する方向に駆動して型締めが行なわれる。そして、型締め時における初期金型状態においては、図９（ａ）に示すように、キャビティ型３の金型位置はａ１であり、製品キャビティＣ内での金型のクリアランスは２．０ｍｍに設定されている。
【０００４】
そして、この状態で図示しない射出機から樹脂通路を経て製品キャビティＣ内に発泡樹脂材料Ｍが射出充填される。また、射出充填時間（ｔ１）経過後の状態を図９（ｂ）に示す。すなわち、製品キャビティＣ内に発泡樹脂材料Ｍが充填された後、遅延時間（ｔ２）０〜１０秒経過させる。その後、キャビティ型３を上昇させる（図９（ｃ）参照）。このときのキャビティ型３の金型位置はａ２であり、このａ２は、例えば、３．６ｍｍ程度に設定され、冷却時間（ｔ３）経過後、成形金型２より発泡成形が完了したドアトリム１を脱型すれば良い。
【０００５】
ところで、図９（ａ）に示す射出充填工程において、型締めと同時に型内に空気、ＣＯ2 等のガスを注入し、型内の内圧を高め、発泡樹脂材料Ｍの早期の発泡を抑える、いわゆるカウンタープレッシャー工法が従来から知られている。尚、一般のカウンタープレッシャー工法としては、特許文献１がある。このガスの注入時間及びガスの脱圧時間については、図１０のプレスチャート図に示す。
【０００６】
また、射出機シリンダの位置からガスの圧力弁を作動させることにより、型内の圧力を制御する工法も従来から知られている（例えば、特許文献２参照。）。
【０００７】
更に、成形金型のゲート部において圧力を検知し、その値をガスの圧力装置にフィードバックすることが特許文献３に記載されている。
【０００８】
【特許文献１】特公昭５１−２７２６６号公報（第２頁、第３頁、図１、図２）
【０００９】
【特許文献２】特開平４−３０８７１３号公報（第３頁、図１乃至図３）
【００１０】
【特許文献３】特許第２７６２３４６号公報（第３頁、第４頁、図１、図２）
【発明の開示】
【発明が解決しようとする課題】
【００１１】
このように、特許文献１に示されている従来のカウンタープレッシャー工法においては、キャビティ内に注入されたガスは、樹脂圧により制御され排出されることになるため、型内のガス圧が大きく変化する。そのため、急激なガス圧の上昇により、製品表面にフローマークが生じる等の不具合を発生させるという欠点があった。
【００１２】
また、特許文献２に示される工法においては、射出機シリンダの位置からガスの圧力弁を作動させる機構であるため、型内の圧力が刻々変化するのに対応して制御するのが困難であり、更に、急激な型内圧力の上昇に伴なう成形への不具合防止に対しては、大きな効果をもたないというのが実情である。
【００１３】
更に、特許文献３に示すように、ゲート部にて圧力を検知し、その値をガスの圧力装置にフィードバックする構成においては、ゲート部のみの樹脂圧しか検知できず、流動途中から末端部分の状況についての樹脂圧については不明であるため、端末部分に生じるフローマーク等の成形不良の対策とはなり得ない。
【００１４】
本発明は、このような事情に鑑みてなされたもので、発泡樹脂材料を型締め後のキャビティ内に充填する際、外部からガスを注入し、型内圧力を制御して発泡反応を誘起させないで金型内に発泡樹脂材料を充填するというカウンタープレッシャー工法を使用した発泡樹脂成形体の成形方法及び成形装置において、キャビティの複数箇所毎の型内圧力を一定に保つことにより、成形時の外観不良をなくすことを目的とする。
【００１５】
更に、本発明は、ガス圧の制御について、供給系と排出系の２系統で制御することにより、型内の内圧を急速に常圧に維持することにより、ガス溜まり、発泡不良等の不具合を有効に解決できる発泡樹脂成形体の成形方法及び成形装置を提供することを更なる目的とする。
【課題を解決するための手段】
【００１６】
上記目的を達成するために、本発明方法は、成形金型の製品キャビティ内に発泡樹脂材料を射出充填した後、上記発泡樹脂材料を発泡させて所要形状に成形してなる発泡樹脂成形体の成形方法において、可動側金型と固定側金型との間に画成される製品キャビティ内に発泡樹脂材料を充填する際、製品キャビティ内に臨むように可動側金型、あるいは固定側金型の少なくとも一方側の金型に複数の圧力センサを設け、この圧力センサの信号をガス供給・排出機構にフィードバック処理し、発泡樹脂材料充填時における型内圧力を制御することにより、発泡樹脂材料の射出速度を安定化したことを特徴とする。
【００１７】
ここで、成形金型の製品キャビティ内に発泡樹脂材料を射出充填した後、発泡樹脂材料の発泡反応を促進させて発泡成形を行なうが、この発泡成形時、型クリアランスは射出充填時と同一に維持しても良いが、発泡スペースを確保するために、可動側金型を微小ストローク型開操作するようにしても良い。
【００１８】
そして、本発明方法によれば、従来は制御しきれなかった樹脂流動中の各ポイント毎のガス圧を圧力センサにより検知できるため、フローマーク等の成形不良が発生し易いガス圧が高まった部位において即座にガス圧を制御し、フローマーク等が発生しないレベルの圧力へと制御することができる。
【００１９】
更に、本発明方法は、前記圧力センサの信号により、ガス供給・排出機構が成形金型の製品キャビティ内にガスを供給、あるいは排出するとともに、上記ガス供給・排出機構におけるガス排出系として真空吸引力を使用することにより、型内のガスを迅速に吸引することで、型内圧力を急速に常圧に維持することを特徴とする。従って、本発明方法によれば、ガス圧の脱圧に関しては、真空吸引するため、急速に型内圧力が常圧に維持できるため、ガス溜まり、発泡不良等の不具合を有効に解消できる。
【００２０】
次いで、本発明方法に使用する発泡樹脂成形体の成形装置は、成形金型の製品キャビティ内に発泡樹脂材料を射出充填した後、上記発泡樹脂材料を発泡させて所要形状に成形してなる発泡樹脂成形体の成形装置において、この成形装置は、可動側金型と固定側金型及び両金型間に画成される製品キャビティ内に発泡樹脂材料を供給する射出機とを備えた成形金型と、この成形金型に付設されるガス供給・排出機構とから構成され、前記成形金型には、製品キャビティと外部のガス供給・排出機構とを接続するガス通路が穿設され、かつ製品キャビティ内に臨む複数の圧力センサが設置されているとともに、ガス供給・排出機構は、ガス供給系と、ガス排出系とにそれぞれ分岐接合され、この分岐点に３方位開閉弁が設けられていることを特徴とする。
【００２１】
また、別の実施形態は、成形金型の製品キャビティ内に発泡樹脂材料を射出充填した後、上記発泡樹脂材料を発泡させて所要形状に成形してなる発泡樹脂成形体の成形装置において、前記ガス供給・排出機構は、成形金型に貫通するガス通路の一方端にガス供給系が接続され、かつガス通路の他方端にガス排出系が接続され、この貫通するガス通路から分岐する分岐ガス通路が製品キャビティに臨むように設けられ、分岐点に３方位開閉弁が設けられていることを特徴とする。
【００２２】
従って、本発明に係る発泡樹脂成形体の成形装置によれば、製品キャビティの複数箇所に設けられた圧力センサの信号によりガスの供給・排出を行ない、型内圧力が規定値より高まった際に基圧を制御して規定の圧力に達するように吸引するというものであるから、簡単な構成で実施できる。
【発明の効果】
【００２３】
以上説明した通り、本発明に係る発泡樹脂成形体の成形方法及び成形装置によれば、金型内の複数箇所に圧力センサを設け、圧力センサにより得た値をガスの供給・排出系にフィードバック制御することで、型内のガス圧力を常に一定に保つことができ、発泡樹脂材料の充填時、発泡を確実に抑えた状態で充填できるため、スワールマーク等が発生することがないとともに、更に、ガス圧の脱圧に関してはバキューム吸引することにより、急速に型内圧力を常圧に維持でき、発泡成形時におけるガス溜まり、発泡バラツキ等の不具合が改善され、外観不良を解消でき、製品外観の良好な発泡樹脂成形体を成形できるという効果を有する。
【発明を実施するための最良の形態】
【００２４】
以下、本発明に係る発泡樹脂成形体の成形方法及び成形装置の最良の形態について、図面に基づき詳細に説明する。
【実施例１】
【００２５】
図１乃至図５は本発明の第１実施例を示すもので、図１，図２は本発明方法を適用して成形した発泡樹脂成形体からなるドアトリムロアを備える自動車用ドアトリムの正面図並びに断面図、図３は本発明に係る発泡樹脂成形体の成形装置の第１実施例を示す全体図、図４は本発明に係る発泡樹脂成形体の成形方法におけるプレスチャート図、図５は射出圧力、射出速度、ガス圧の相対関係を示すグラフである。
【００２６】
図１，図２において、自動車用ドアトリム１０は、ドアトリムアッパー２０とドアトリムロア３０の上下二分割体から構成されている。上記ドアトリムアッパー２０には、インサイドハンドルエスカッション１１、また、乗員が肘を載せるアームレスト部にはプルハンドル１２やパワーウインドウスイッチフィニッシャー１３が取り付けられている。一方、ドアトリムロア３０には、備品を収容できるドアポケットのポケット開口１４が開設されているとともに、そのフロント側にスピーカグリル１５が一体、または別体に設けられている。
【００２７】
更に、上記ドアトリムアッパー２０及びドアトリムロア３０の構成については、図２に示すように、ドアトリムアッパー２０は、樹脂芯材２１の表面に表皮２２を貼付してなる積層構造体から構成されており、樹脂芯材２１の素材となる合成樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、アイオノマー系樹脂、ポリアミド系樹脂、アクリロニトリル／ブタジエン／スチレン（ＡＢＳ）樹脂、ポリカーボネート樹脂等から適宜選択されて良く、また、所望により合成樹脂にタルク、クレイ、木粉等のフィラーを混入しても良い。
【００２８】
そして、表皮２２は、ＴＰＯ（サーモプラスチックオレフィン）に代表される熱可塑性エラストマー樹脂等の合成樹脂シート、あるいはＴＰＯシート裏面にポリエチレンフォーム等のクッション層を裏打ちした積層シート材料等が使用できる。
【００２９】
また、ドアトリムアッパー２０を所望形状に成形するには、射出成形工法、モールドプレス成形工法が量産性を考慮した場合好適である。すなわち、成形金型内に表皮２２をセットし、型締め後、あるいは型締め直前に成形金型のキャビティ内に溶融樹脂を射出充填することで、樹脂芯材２１を所望の曲面形状に成形するとともに、樹脂芯材２１の表面側に表皮２２を一体貼着することができる。
【００３０】
一方、ドアトリムロア３０は、本発明では発泡樹脂成形体が使用されており、合成樹脂中に発泡剤が混入されている。例えば、使用できる合成樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、アイオノマー系樹脂、ポリアミド系樹脂、アクリロニトリル／ブタジエン／スチレン（ＡＢＳ）樹脂、ポリカーボネート樹脂等から適宜選択される。そして、合成樹脂に対して、アゾジカルボンアミド等の有機発泡剤あるいは重炭酸ナトリウム等の無機発泡剤を混入したものを使用している。
【００３１】
そして、図１，図２に示すドアトリム１０は、ドアトリムアッパー２０とドアトリムロア３０との外観上のアクセント効果により、良好な製品外観が得られるとともに、成形金型をコンパクト化できる。また、ドアトリムロア３０を発泡樹脂成形体から構成することで、軽量化にも大きく貢献している。
【００３２】
ところで、本発明は、ドアトリムロア３０（発泡樹脂成形体）の成形方法及びそれに使用する成形装置４０に特徴がある。まず、成形装置４０の構成について、図３を基に説明すると、成形装置４０は、成形金型５０と、この成形金型５０にガスを供給、あるいは排出するためのガス供給・排出機構６０とから大略構成されている。
【００３３】
更に詳しくは、成形金型５０は、可動側金型５１と固定側金型５２及び固定側金型５２に連結される射出機５３とからなっている。そして、射出機５３から供給される発泡樹脂材料Ｍは、ゲート５４を通じて可動側金型５１と固定側金型５２との間に画成される製品キャビティＣ内に供給される。
【００３４】
また、可動側金型５１と固定側金型５２との周縁部分は、シール部５５を介してエアタイトに型締めされる。このシール部５５の構成としては、シール部材が製品キャビティＣを囲繞するように周設されても良く、また、可動側金型５１の発泡スペースを確保するために微小ストローク型開きさせる際においても、エアタイトに周縁部がエアシールできるように、シリンダ等により可動できるシール部５５を採用しても良い。
【００３５】
更に、本発明方法に使用する成形装置４０においては、成形金型５０において、ガス供給・排出機構６０からガスを製品キャビティＣ内に供給、あるいは排出できるように、ガス通路５６が設けられているとともに、製品キャビティＣに臨むように金型の複数箇所に圧力センサ５７が図面では３箇所等、複数箇所に設けられている。
【００３６】
一方、成形金型５０に接続されるガス供給・排出機構６０は、ガス供給タンク６１からガスを成形金型５０のガス通路５６に供給するためのガス供給ホース６２が接続され、このガス供給ホース６２に分岐ホース６３が接続され、この分岐点に３方位開閉弁６４が設けられ、分岐ホース６３は真空ポンプ６５に接続している。
【００３７】
従って、分岐点を図３中拡大して示すように、３方位開閉弁６４が図中実線位置にあるとき、ガス供給タンク６１からガスがガス供給ホース６２を通じて金型５０内に送られ、ガスの供給が行なわれる。一方、キャビティ内のガス圧を落とすときには、３方位開閉弁６４が駆動して、矢印で示すように、点線位置に３方位開閉弁６４が位置し、金型５０の製品キャビティＣからガスが分岐ホース６３を通じて真空ポンプ６５側に真空吸引される。
【００３８】
次いで、本発明方法を図４のプレスチャート図、図５のグラフを基に説明すると、図４のプレスチャート図において、可動側金型５１が型開位置（Ａ）から型締め位置（Ｂ）まで下降して成形金型５０の型締めが行なわれる。
【００３９】
そして、この成形金型５０の型締めと同時にガス供給・排出機構６０から製品キャビティＣ内にガスが注入される。更に、ガスの注入後、（Ｃ）から（Ｄ）に至るまで発泡樹脂材料Ｍが射出機５３、ゲート５４を通じて製品キャビティＣ内に充填されるが、このとき、図５のグラフから明らかなように、製品キャビティＣ内の型内圧力が規定値より高まった際に複数箇所に設けた圧力センサ５７からの信号により、型内圧力を制御して、規定の圧力に達するように、ガスの供給・排出を３方位開閉弁６４の動作により行なう。従って、樹脂圧力を所定値に抑えることができるとともに、発泡樹脂材料Ｍの射出速度も安定した状態で発泡樹脂材料Ｍの充填工程を完了させることができる。
【００４０】
更に、発泡樹脂材料Ｍの充填が完了した後、ガスを脱圧するとともに、発泡樹脂材料Ｍの発泡スペースを確保するために、（Ｅ）から（Ｆ）まで微小ストローク型開動作を行ない、（Ｇ）まで冷却時間を確保して、発泡を完了させる。その後、型開動作を行ない、（Ｈ）まで可動側金型５１を上昇させた後、発泡樹脂成形体を脱型すれば良い。尚、所望ならば、発泡スペースを確保するための型開動作を省略し、型クリアランスを一定レベルに保った状態で発泡反応を行なうようにしても良い。
【００４１】
このように、第１実施例においては、発泡樹脂材料Ｍの充填時、樹脂圧力の過度の上昇を抑え、かつ射出速度を安定した状態に維持できるため、充填工程において発泡反応が起こることがなく、かつ発泡反応時には、ガスを迅速に排出することができるため、ガス溜まりや発泡不良等が回避でき、外観性能の優れた発泡樹脂成形体を成形することができる。
【実施例２】
【００４２】
図６は本発明方法に使用する成形装置４０の第２実施例を示すもので、この成形装置４０においては、可動側金型５１に貫通状態でガス通路５６が穿設され、このガス通路５６の一方端５６ａにガス供給系であるガス供給タンク６１と連結するガス供給ホース６２が接続されているとともに、ガス通路５６の他方端５６ｂには、真空ポンプ６５がガス排出管６５ａを介して接続されている。更に、可動側金型５１に貫通状に設けられるガス通路５６は、それと分離するように分岐ガス通路５６ｃ，５６ｄが製品キャビティＣに連通するように分岐形成され、各分岐点において、複数の開閉弁５８が設けられている。
【００４３】
従って、発泡樹脂材料Ｍの充填工程において、製品キャビティＣ内に臨むように複数箇所に設けられた圧力センサ５７により過度の内圧が検知され、ガス供給系にフィードバックされることで、製品キャビティＣ内の型内圧力を常に安定状態に維持でき、発泡樹脂材料Ｍの射出速度を一定にできるという第１実施例同様の効果があるとともに、発泡樹脂材料Ｍの充填工程が完了して、可動側金型５１が微小ストローク型開方向に動作する際、真空ポンプ６５により迅速にガスを外部に排出することができるため、発泡反応時におけるガス溜まり、あるいは発泡不良等の不具合がなく、外観性能の優れたドアトリムロア３０の成形が可能となる。
【実施例３】
【００４４】
図７は本発明方法に使用する成形装置４０の第３実施例を示すもので、この成形装置４０は、成形金型５０に複数（４基）のガス供給・排出機構６０Ａ，６０Ｂ，６０Ｃ，６０Ｄが設けられている。更に、成形金型５０には、製品キャビティＣ内に臨むようにａ，ｂ，ｃ，ｄの各ポイントに圧力センサ５７ａ，５７ｂ，５７ｃ，５７ｄが付設されている。
【００４５】
従って、発泡樹脂材料Ｍの射出充填工程において、ゲート５４から最も遠隔ポイントとなる部位（図７中符合Ａで示す）は、ショートショットが発生し易いが、第３実施例で示す成形装置４０を使用すれば、ｄポイントの圧力センサ５７ｄが高い圧力値を検出することになり、これをフィードバックさせて、ガス供給・排出機構６０Ａ〜６０Ｄから近接するガス供給・排出機構６０Ｃ，６０Ｄを選択し、製品キャビティＣ内のガスを２箇所のガス供給・排出機構６０Ｃ，６０Ｄを通して排出すれば、製品キャビティＣ内の全域において、型内圧力をほぼ均一に制御することができる。
【００４６】
このように、成形金型５０に複数のガス供給・排出機構６０を付設した場合、製品キャビティＣ内の型内圧力の分布状況を圧力センサ５７により検知して、ガス供給・排出機構（例えば、６０Ａ〜６０Ｄ）から最適のものを組み合わせることで、バランス良く型内圧力を制御することができるという有利さがある。
【産業上の利用可能性】
【００４７】
以上説明した第１実施例、第２実施例は、上下二分割型のドアトリム１０におけるドアトリムロア３０の製造方法に適用したが、製品用途はこれに限定されることなく、発泡樹脂成形体全般に適用できる。
【００４８】
また、発泡樹脂成形体の形状や樹脂特性を考慮して、複数のガス供給・排出機構を複数のガス通路を通じて製品キャビティと連通させて、型内に設けた複数の圧力センサの数値により、適宜ガスの供給、あるいは排出を行なうこともできる。
【図面の簡単な説明】
【００４９】
【図１】本発明方法を適用して成形したドアトリムロアを使用した自動車用ドアトリムを示す正面図である。
【図２】図１中II−II線断面図である。
【図３】本発明に係る発泡樹脂成形体の成形装置における第１実施例の構成を示す全体図である。
【図４】図３に示す成形装置における成形金型並びにガス供給・排出機構のタイムチャート図である。
【図５】本発明方法における発泡樹脂材料の射出圧力、射出速度、ガス圧の相対関係を示すグラフである。
【図６】本発明に係る発泡樹脂成形体の成形装置における第２実施例の構成を示す全体図である。
【図７】本発明に係る発泡樹脂成形体の成形装置における第３実施例の構成を示す全体図である。
【図８】従来の自動車用ドアトリムを示す正面図である。
【図９】従来の自動車用ドアトリムの成形方法における（ａ）初期金型状態、（ｂ）樹脂充填完了後の金型状態、（ｃ）発泡成形時の金型状態をそれぞれ示す説明図である。
【図１０】従来のカウンタープレッシャー工法における成形金型並びにガス供給機構のタイムチャート図である。
【符号の説明】
【００５０】
１０  自動車用ドアトリム
２０  ドアトリムアッパー
３０  ドアトリムロア
４０  成形装置
５０  成形金型
５１  可動側金型
５２  固定側金型
５３  射出機
５４  ゲート
５５  シール部
５６  ガス通路
５６ａ  一方端
５６ｂ  他方端
５６ｃ，５６ｄ  分岐ガス通路
５７（５７ａ，５７ｂ，５７ｃ，５７ｄ）  圧力センサ
５８  開閉弁
６０（６０Ａ，６０Ｂ，６０Ｃ，６０Ｄ）  ガス供給・排出機構
６１  ガス供給タンク
６２  ガス供給ホース
６３  分岐ホース
６４  ３方位開閉弁
６５  真空ポンプ
Ａ  ゲートからの遠隔部分
Ｃ  製品キャビティ
Ｍ  発泡樹脂材料
【図１】
2005153446.tif 000003
【図２】
2005153446.tif 000004
【図３】
2005153446.tif 000005
【図４】
2005153446.tif 000006
【図５】
2005153446.tif 000007
【図６】
2005153446.tif 000008
【図７】
2005153446.tif 000009
【図８】
2005153446.tif 000010
【図９】
2005153446.tif 000011
【図１０】
2005153446.tif 000012